(57)【特許請求の範囲】
【請求項１】
エアフィルタのろ材の外周を気密に保持するフィルタ枠が箱型のチャンバー内に設けたフィルタ取付枠に気密性を確保しながら固定されるエアフィルタ装置であって、
前記チャンバー内の４隅またはその近傍の４つの側壁面のそれぞれに位置する４箇所のうち、少なくとも対向する２箇所に設けられ、前記エアフィルタの前記フィルタ枠の枠額縁を受ける受部と、前記チャンバーの側壁面からチャンバー内に突出し前記受部を取り付ける固定金具と、前記受部と連結してその高さを調整する調整部とからなるエアフィルタ取付機構を有し、
前記フィルタ枠のコーナ部が前記エアフィルタ取付機構を避ける位置で、前記エアフィルタを前記チャンバー内に下方から前記受部の高さまで挿入可能にしたことを特徴とするエアフィルタ装置。
【請求項２】
エアフィルタのろ材の外周を気密に保持するフィルタ枠が箱型のチャンバー内に設けたフィルタ取付枠に気密性を確保しながら固定されるエアフィルタ装置であって、
前記チャンバー内の４隅またはその近傍の４つの側壁面のそれぞれに位置する４箇所のうち、少なくとも対向する２箇所に設けられ、前記エアフィルタの前記フィルタ枠の枠額縁を受ける受部と、前記チャンバーの側壁面からチャンバー内に突出し前記受部を取り付ける固定金具と、前記受部と連結してその高さを調整する調整部とからなるエアフィルタ取付機構と、
前記エアフィルタの前記フィルタ枠の上面と前記チャンバーの前記フィルタ取付枠との間に設けられたシール材とを有し、
前記フィルタ枠のコーナ部が前記エアフィルタ取付機構を避ける位置で、前記エアフィルタを前記チャンバー内に下方から前記受部の高さまで挿入可能にし、かつ
前記調整部による前記受部の高さ調整にて、前記フィルタ枠の上面と前記チャンバーの前記フィルタ取付枠とが前記シール材を介して気密性を確保して当接することを特徴とするエアフィルタ装置。
【請求項３】
前記エアフィルタ枠のコーナ部の位置合わせを示す印がチャンバー額縁に設けられていることを特徴とする請求項１又は請求項２に記載のエアフィルタ装置。
【請求項４】
前記固定金具は、前記チャンバー内下側の側壁又は前記チャンバーの前記フィルタ取付枠に固定されていることを特徴とする請求項１又は請求項２に記載のエアフィルタ装置。
【請求項５】
前記エアフィルタ取付機構には、更に、前記チャンバー内に前記エアフィルタを挿入して前記受部に設置した際、前記エアフィルタの前記フィルタ枠を位置決めするストッパーが設けられていることを特徴とする請求項１又は請求項２に記載のエアフィルタ装置。
【請求項６】
エアフィルタのろ材の外周を気密に保持するフィルタ枠が箱型のチャンバー内に設けたフィルタ取付枠に気密性を確保しながら固定され、
前記チャンバー内の４隅またはその近傍の４つの側壁面のそれぞれに位置する４箇所のうち、少なくとも対向する２箇所に設けられ、前記エアフィルタの前記フィルタ枠の枠額縁を受ける受部と、前記チャンバーの側壁面からチャンバー内に突出し前記受部を取り付ける固定金具と、前記受部と連結してその高さを調整する調整部とからなるエアフィルタ取付機構を有するエアフィルタ装置の前記エアフィルタを取付ける取付方法であって、
前記フィルタ枠のコーナ部を、前記エアフィルタ取付機構を避ける位置を明示した印に合わせて、前記エアフィルタを前記チャンバー内に挿入し、
ついで前記エアフィルタを、前記フィルタ枠の辺と前記チャンバーの額縁辺とが並行になるように回転させることにより前記エアフィルタ枠の枠額縁を前記受部に一時仮置きし、
前記調整部により前記受部の高さを調整し、前記フィルタ枠の上面と前記チャンバーの前記フィルタ取付枠とがシール材を介して気密性を確保して当接する
ことを特徴とするエアフィルタの取付方法。
【発明の詳細な説明】
【技術分野】
【０００１】
本発明は、エアフィルタをチャンバー内に取付けたエアフィルタ装置およびそのエアフィルタ取付方法に関する。
【背景技術】
【０００２】
従来、この種のエアフィルタ装置のエアフィルタ取付構造は、エアフィルタのろ材の外周を気密に保持するフィルタ枠をチャンバー内に設けたフィルタ取付枠へ気密に固定するため、前記フィルタ枠の外周に係合凹部を設けるとともに、前記フィルタ取付枠に前記係合凹部に係合自在な係合ピンを設け、この係合ピンを前記係合凹部に係合させた状態で、フィルタ枠とフィルタ取付枠の間をシール材でシールしたものがある（例えば、特許文献１参照）。
【０００３】
また他のエアフィルタ取付構造としては、天井躯体に垂下されたダクトチャンバにエアフィルタユニットを連結固定するもので、エアフィルタユニットのエアフィルタの上方側を密封材を介してフィルタ取付枠に密接させ、下方側をフィルタ取付枠の下面に着脱可能に固定し、そのフィルタ取付枠は空気吹出口を閉止すべくダクトチャンバ内に収納されて連結されているものがある（例えば、特許文献２参照）。
【０００４】
【特許文献１】特開平９−５２０１２号公報
【特許文献２】特開平１１−１４１９４０号公報
【発明の開示】
【発明が解決しようとする課題】
【０００５】
しかし、特許文献１に開示されたエアフィルタの取付構造では、フィルタ枠の外周に係合凹部を設ける必要があり、エアフィルタをチャンバーに取付けるためにはフィルタ枠の外周の係合凹部に係合ピンを係合しなければならない問題があり、さらにチャンバーに取付けた後は、フィルタ枠とフィルタ取付枠との間をシール材にてシールする必要があり、作業性が悪いものであったった。
【０００６】
また、特許文献２に開示されたエアフィルタの取付構造では、エアフィルタ枠から伸びた固定部材の下方からシールドポップナットにビスを入れて固定することによりエアフィルタ枠とエアフィルタ取付枠を一体的に固定する構造であり、ビス等の部材を多数必要とする問題があった。
【０００７】
エアフィルタを取付けるチャンバーは、天井に取付けられるのが一般的であり、高所での取付作業、または交換作業となるため、エアフィルタのろ材部分を損傷させずに取付けるためには、一人作業が困難な状態であった。また、清浄な空気を室内に供給するためには、エアフィルタとエアフィルタ取付枠への気密性を確保して固定することが重要な要素である。
【０００８】
そこで、本発明は上記問題点を解決するためになされたもので、フィルタ枠とエアフィルタ取付枠との間の気密性を確保するとともに、エアフィルタのチャンバー内への取付作業、または交換作業を一人で簡単に行えるようにしたエアフィルタ装置およびそのエアフィルタの取付方法を提供することを目的とする。
【課題を解決するための手段】
【０００９】
上記目的を達成するための本発明のエアフィルタ装置は、エアフィルタのろ材の外周を気密に保持するフィルタ枠が箱型のチャンバー内に設けたフィルタ取付枠に気密性を確保しながら固定されるエアフィルタ装置であって、前記チャンバー内の４隅またはその近傍の４つの側壁面のそれぞれに位置する４箇所のうち、少なくとも対向する２箇所に設けられ、前記エアフィルタの前記フィルタ枠の枠額縁を受ける受部と、前記チャンバーの側壁面からチャンバー内に突出し前記受部を取り付ける固定金具と、前記受部と連結してその高さを調整する調整部とからなるエアフィルタ取付機構を有し、前記フィルタ枠のコーナ部が前記エアフィルタ取付機構を避ける位置で、前記エアフィルタを前記チャンバー内に下方から前記受部の高さまで挿入可能にしたことを特徴とする。
【００１０】
また、本発明のエアフィルタ装置は、エアフィルタのろ材の外周を気密に保持するフィルタ枠が箱型のチャンバー内に設けたフィルタ取付枠に気密性を確保しながら固定されるエアフィルタ装置であって、前記チャンバー内の４隅またはその近傍の４つの側壁面のそれぞれに位置する４箇所のうち、少なくとも対向する２箇所に設けられ、前記エアフィルタの前記フィルタ枠の枠額縁を受ける受部と、前記チャンバーの内壁面からチャンバー内に突出し前記受部を取り付ける固定金具と、前記受部と連結してその高さを調整する調整部とからなるエアフィルタ取付機構と、前記エアフィルタの前記フィルタ枠の上面と前記チャンバーの前記フィルタ取付枠との間に設けられたシール材とを有し、前記フィルタ枠のコーナ部が前記エアフィルタ取付機構を避ける位置で、前記エアフィルタを前記チャンバー内に下方から前記受部の高さまで挿入可能にし、かつ前記調整部による前記受部の高さ調整にて、前記フィルタ枠の上面と前記チャンバーの前記フィルタ取付枠とが前記シール材を介して気密性を確保して当接することを特徴とする。
【００１１】
また、本発明のエアフィルタ取付方法は、エアフィルタのろ材の外周を気密に保持するフィルタ枠が箱型のチャンバー内に設けたフィルタ取付枠に気密性を確保しながら固定され、前記チャンバー内の４隅またはその近傍の４つの側壁面のそれぞれに位置する４箇所のうち、少なくとも対向する２箇所に設けられ、前記エアフィルタの前記フィルタ枠の枠額縁を受ける受部と、前記チャンバーの側壁面からチャンバー内に突出し前記受部を取り付ける固定金具と、前記受部と連結してその高さを調整する調整部とからなるエアフィルタ取付機構を有するエアフィルタ装置の前記エアフィルタを取付ける取付方法であって、前記フィルタ枠のコーナ部を、前記エアフィルタ取付機構を避ける位置を明示した印に合わせて、前記エアフィルタを前記チャンバー内に挿入し、ついで前記エアフィルタを、前記フィルタ枠の辺と前記チャンバーの額縁辺とが並行になるように回転させることにより前記エアフィルタ枠の枠額縁を前記受部に一時仮置きし、前記調整部により前記受部の高さを調整し、前記フィルタ枠の上面と前記チャンバーの前記フィルタ取付枠とがシール材を介して気密性を確保して当接することを特徴とする。
【発明の効果】
【００１２】
本発明のエアフィルタ装置によると、エアフィルタのチャンバー内への取付作業、または交換作業を一人で簡単に作業することができる。また、チャンバー内にエアフィルタを取付けた後は、シール材でシールすることなくエアフィルタをチャンバー内に気密性を確保して取付ることができるため、作業性が改善され、コストが軽減される。また、エアフィルタの固定に際しては、ビス等を必要とすることなく、エアフィルタ枠をチャンバー内に取付ることが容易に作業することができる。
【発明を実施するための最良の形態】
【００１３】
以下、図１乃至図４を参照して本発明のエアフィルタ装置およびそのエアフィルタ取付方法の実施形態について説明する。
【実施例１】
【００１４】
図１は、本発明に係わるエアフィルタ装置のチャンバー内にエアフィルタを取付ける状態の実施形態を示す斜視図である。図２は、チャンバー内にエアフィルタが取付けられた状態の実施形態を示す斜視図である。図１および図２は、天井に取付けられたチャンバーを下面側から見た状態を示している。
【００１５】
図１および図２において、実施形態に係るエアフィルタ装置は、例えば立方体（箱型）のチャンバー１内の下側に、立方体のエアフィルタ２が取付けられた状態で、図示しない固定部材にて天井材に設置される。
【００１６】
下面に吹出口を有するチャンバー１内の中間位置の側壁には、Ｕ字型のフィルタ取付枠１３（図３を参照）が周設されている。エアフィルタ２の上側面に取り付けられているシール材１２（図３を参照）は、チャンバー１内のＵ字型のフィルタ取付枠１３に当接され、エアフィルタ２の下側面はチャンバー１内の所定位置（例えば４隅）に固定されているノブボルト９のノブボルト受部７にエアフィルタ２の枠額縁６に当接されている。前記シール材１２により、エアフィルタ２はチャンバー１内に気密性を確保して固定される。そして、ノブボルト９とノブボルト受部７の間には、ノブボルト９の固定金具８が設けられている。この固定金具８は、チャンバー１の吹出口近くの内側面に固定されており、ノブボルト９とノブボルト受部７を保持している。なおシール材１２は、例えばクロロプレンガスケット、シリコンガスケット等などがある。
【００１７】
そして、チャンバー１の図示しないダンパーダクト部から流入された全ての空気は、エアフィルタ２のろ材２ａを介して放出され、室内に清浄な空気が放出される。
【００１８】
次に、チャンバー１内にエアフィルタ２を取付ける方法について説明する。
【００１９】
図３は、チャンバー１内にエアフィルタ２を取付けた時の、エアフィルタの固定機構の第１の実施形態を示す詳細断面図である。ノブボルト９の固定金具８は、チャンバー１内の下側の４隅に設けられている。さらに、エアフィルタ２を所定の位置に配置させるためのストッパー１４が、固定金具８からチャンバー１内で上側に向けて設けられている。ノブボルト受部７の高さ調整は、ノブボルト９を回転させることにより行われる。
【００２０】
チャンバー１内にエアフィルタ２を取付けるに際し、先ず、図１に示すように、チャンバー１の下側内周面に沿ってろ材２ａを気密に保持しているフィルタ枠３の枠額縁６を手で持ち上げ、チャンバー額縁４の下に設けられた４箇所の矢印５にエアフィルタ２のコーナー部１０を合わせてチャンバー１内に挿入する。即ち、４箇所の矢印５は、ノブボルト９を避ける位置を予め設定して明示したものであり、この矢印５で示す位置の下方から、エアフィルタ２のコーナー部１０をチャンバー１内に挿入するものである。したがって、挿入時にはエアフィルタ２は所定角度だけ回転した状態となる。
【００２１】
次に、図２に示すように、ノブボルト受部７の高さまで挿入したエアフィルタ２を回転方向１１に回転させる。即ち、チャンバー１への挿入時に回転したエアフィルタ２をノブボルト受部７に載置できる位置に戻す。このとき、固定金具８に取り付けられたストッパー１４に当接するまでエアフィルタ２を回転させると、エアフィルタ２のシール材１２がフィルタ取付枠１３の所定の位置に当接する位置に配置されることになる。この状態になれば、エアフィルタ２のフィルタ枠３の枠額縁６が、ノブボルト受部７の上側の位置に配置され、枠額縁６から手を離してもエアフィルタ２は落下することなく、４隅に設けられたノブボルト受部７でエアフィルタ２は保持される。
【００２２】
次に、ノブボルト９を回転させると、ノブボルト受部７が上昇してエアフィルタ２のシール材１２がチャンバー１の全周内側壁に設けられたフィルタ取付枠１３に当接され、締付け固定されることによって気密性が保たれる。ノブボルト９の回転は、人の手で十分締付けることができ、工具等を必要としないため、作業性が非常に優れている。
【実施例２】
【００２３】
図４は、チャンバー１内にエアフィルタ２を取付けた時の、エアフィルタの固定機構の第２の実施形態を示す詳細断面図である。
【００２４】
この第２の実施形態のエアフィルタの固定機構は、図３と異なり、フィルタ取付枠１３から下側に設けられたスタッドボルト１５にストッパーを兼ねたストッパーボルト１４ｂを接続し、このストッパーボルト１４ｂにノブボルト９の固定金具８ｂをナット１６にて締付け、固定した構成である。この場合は、エアフィルタ２の挿入後に回転したときに、エアフィルタ枠３が当たるストッパーを別部材として設ける必要がない。その他の構成は、図３と同じであるためその説明は省略する。
【００２５】
次に、この第２の実施形態の固定機構を用いてチャンバー１内にエアフィルタ２を取付ける方法について説明する。図２のようにノブボルト受部７の高さまで挿入したエアフィルタ２を回転方向１１に回転させる。このとき、固定金具８ｂに取り付けられたストッパーボルト１４ｂに当接するまでエアフィルタ２を回転させると、エアフィルタ２のシール材１２がフィルタ取付枠１３の所定の位置に当接する位置に配置されることになる。この状態になれば、エアフィルタ２のフィルタ枠３の枠額縁６が、ノブボルト受部７の上側の位置に配置され、枠額縁６から手を離してもエアフィルタ２は落下することなく、４隅に設けられたノブボルト受部７でエアフィルタ２は保持される。その後の操作は、第１の実施形態と同じであるので、その説明は省略する。
【００２６】
なお、実施形態ではエアフィルタの固定機構をチャンバー内の４隅に設けるとしたが、固定機構はチャンバー内の少なくとも対向する２箇所に設けられていれば良い。また、エアフィルタの固定機構のノブボルト受部及びノブボルトはこれに限定されず、その大きさや形状等は適宜変更されるものである。更に、ストッパーを固定金具に取り付けるものではなく、チャンバー内側に取り付ける構造としても良い。
【００２７】
上述した第１および第２の実施形態のエアフィルタ装置によれば、エアフィルタのチャンバー内への取付作業、または交換作業を一人で簡単にできるようになる。また、チャンバー内にエアフィルタを取付けた後に、シール材でシールすることなくエアフィルタをチャンバー内に気密性を確保して取付けることができるため、作業性が改善され、コストが軽減される。
【００２８】
また、第２の実施形態によれば、フィルタ枠が当たるストッパーを別部材として設ける必要がない。
【図面の簡単な説明】
【００２９】
【図１】本発明に係わるエアフィルタ装置のチャンバー内にエアフィルタが取付けられる実施形態の形状を示す斜視図。
【図２】本発明に係わるエアフィルタ装置のチャンバー内にエアフィルタが取付けられた状態の実施形態を示す斜視図。
【図３】本発明に係わるエアフィルタ装置のエアフィルタをチャンバー内に固定する第１の実施形態を示す詳細断面図。
【図４】本発明に係わるエアフィルタ装置のエアフィルタをチャンバー内に固定する第２の実施形態を示す詳細断面図。
【符号の説明】
【００３０】
１  チャンバー
２  エアフィルタ
２ａ  ろ材
３  フィルタ枠
４  チャンバー額縁
５  矢印
６  枠額縁
７  ノブボルト受部
８、８ｂ  固定金具
９  ノブボルト
１０  コーナー部
１１  回転方向
１２  シール材
１３  フィルタ取付枠
１４ａ  ストッパー
１４ｂ  ストッパーボルト
１５  スタッドボルト
１６  ナット
【図１】
0004704867.tif 000002
【図２】
0004704867.tif 000003
【図３】
0004704867.tif 000004
【図４】
0004704867.tif 000005